【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
車両に搭載された複数の制御装置と、複数の前記制御装置と車内通信可能に接続された中継装置と、を含むプログラム更新システムであって、
前記中継装置は、
複数の前記制御装置に対する更新プログラムを無線で受信する無線通信部と、
受信した複数の前記更新プログラムを記憶する記憶部と、
記憶された複数の前記更新プログラムを対応する前記制御装置にそれぞれ送信する車内通信部と、
複数の前記更新プログラムのデータ合計量が前記記憶部の前記更新プログラムのためのメモリ容量を超える場合に、無線通信による通信状況に応じて前記更新プログラムの逐次的な受信を実行する処理部と、を備えるプログラム更新システム。
【請求項２】
前記処理部は、前記通信状況が良好である場合に、前記更新プログラムの逐次的な受信を実行し、前記通信状況が良好でない場合に、前記通信状況が良化するまで待機する請求項１に記載のプログラム更新システム。
【請求項３】
前記処理部は、前記通信状況の良否を、前記無線通信部における受信強度又はビットエラーレートに基づいて判定する請求項１又は請求項２に記載のプログラム更新システム。
【請求項４】
前記処理部は、前記通信状況の良否判定において、自車両の車両速度を、前記通信状況が良好と判定する条件の一つとする請求項１又は請求項２に記載のプログラム更新システム。
【請求項５】
前記処理部は、前記通信状況の良否を、自車両の現在位置に基づいて判定する請求項１又は請求項２に記載のプログラム更新システム。
【請求項６】
前記処理部は、前記通信状況の良否判定において、自車両の予測される停車時間の多寡を、前記通信状況が良好と判定する条件の一つとする請求項１又は請求項２に記載のプログラム更新システム。
【請求項７】
車両に搭載された複数の制御装置と車内通信可能に接続された中継装置が実行するプログラム更新方法であって、
複数の前記制御装置に対する更新プログラムを無線で受信するステップと、
受信した複数の前記更新プログラムを記憶するステップと、
記憶された複数の前記更新プログラムを対応する前記制御装置にそれぞれ送信するステップと、
複数の前記更新プログラムのデータ合計量が記憶部の前記更新プログラムのためのメモリ容量を超える場合に、無線通信による通信状況の良否に応じて、前記更新プログラムの逐次的な受信を実行するか否かを判定するステップと、を含むプログラム更新方法。
【請求項８】
車両に搭載された複数の制御装置と車内通信可能に接続された中継装置として、コンピュータを機能させるためのコンピュータプログラムであって、
複数の前記制御装置に対する更新プログラムを無線で受信するステップと、
受信した複数の前記更新プログラムを記憶するステップと、
記憶された複数の前記更新プログラムを対応する前記制御装置にそれぞれ送信するステップと、
複数の前記更新プログラムのデータ合計量が記憶部の前記更新プログラムのためのメモリ容量を超える場合に、無線通信による通信状況の良否に応じて、前記更新プログラムの逐次的な受信を実行するか否かを判定するステップと、を含むコンピュータプログラム。
【手続補正２】
【補正対象書類名】明細書
【補正対象項目名】０００７
【補正方法】変更
【補正の内容】
【０００７】
（１）  本発明の一態様に係るシステムは、車両に搭載された複数の制御装置と、複数の前記制御装置と車内通信可能に接続された中継装置と、を含むプログラム更新システムであって、前記中継装置は、複数の前記制御装置に対する更新プログラムを無線で受信する無線通信部と、受信した複数の前記更新プログラムを記憶する記憶部と、記憶された複数の前記更新プログラムを対応する前記制御装置にそれぞれ送信する車内通信部と、複数の前記更新プログラムのデータ合計量が前記記憶部の前記更新プログラムのためのメモリ容量を超える場合に、無線通信による通信状況に応じて前記更新プログラムの逐次的な受信を実行する処理部と、を備える。
【手続補正３】
【補正対象書類名】明細書
【補正対象項目名】０００８
【補正方法】変更
【補正の内容】
【０００８】
（７）  本発明の一態様に係る方法は、車両に搭載された複数の制御装置と車内通信可能に接続された中継装置が実行するプログラム更新方法であって、複数の前記制御装置に対する更新プログラムを無線で受信するステップと、受信した複数の前記更新プログラムを記憶するステップと、記憶された複数の前記更新プログラムを対応する前記制御装置にそれぞれ送信するステップと、複数の前記更新プログラムのデータ合計量が記憶部の前記更新プログラムのためのメモリ容量を超える場合に、無線通信による通信状況の良否に応じて、前記更新プログラムの逐次的な受信を実行するか否かを判定するステップと、を含む。
【手続補正４】
【補正対象書類名】明細書
【補正対象項目名】０００９
【補正方法】変更
【補正の内容】
【０００９】
（８）  本発明の一態様に係るコンピュータプログラムは、車両に搭載された複数の制御装置と車内通信可能に接続された中継装置として、コンピュータを機能させるためのコンピュータプログラムであって、複数の前記制御装置に対する更新プログラムを無線で受信するステップと、受信した複数の前記更新プログラムを記憶するステップと、記憶された複数の前記更新プログラムを対応する前記制御装置にそれぞれ送信するステップと、複数の前記更新プログラムのデータ合計量が記憶部の前記更新プログラムのためのメモリ容量を超える場合に、無線通信による通信状況の良否に応じて、前記更新プログラムの逐次的な受信を実行するか否かを判定するステップと、を含む。
【手続補正５】
【補正対象書類名】明細書
【補正対象項目名】００１２
【補正方法】変更
【補正の内容】
【００１２】
＜本発明の実施形態の概要＞  
以下、本発明の実施形態の概要を列記して説明する。
（１）  本実施形態のプログラム更新システムは、車両に搭載された複数の制御装置と、複数の前記制御装置と車内通信可能に接続された中継装置と、を含むプログラム更新システムであって、前記中継装置は、複数の前記制御装置に対する更新プログラムを無線で受信する無線通信部と、受信した複数の前記更新プログラムを記憶する記憶部と、記憶された複数の前記更新プログラムを対応する前記制御装置にそれぞれ送信する車内通信部と、複数の前記更新プログラムのデータ合計量が前記記憶部の前記更新プログラムのためのメモリ容量を超える場合に、無線通信による通信状況に応じて前記更新プログラムの逐次的な受信を実行する処理部と、を備える。
【手続補正６】
【補正対象書類名】明細書
【補正対象項目名】００１３
【補正方法】変更
【補正の内容】
【００１３】
本実施形態のプログラム更新システムによれば、中継装置の処理部が、複数の更新プログラムのデータ合計量が記憶部の更新プログラムのためのメモリ容量を超える場合に、無線通信による通信状況に応じて更新プログラムの逐次的な受信を実行するので、複数の更新プログラムのデータ合計量が更新プログラムのためのメモリ容量を超える場合でも、制御装置に制御プログラムを更新させることができる。
【手続補正７】
【補正対象書類名】明細書
【補正対象項目名】００１９
【補正方法】変更
【補正の内容】
【００１９】
（７）  本実施形態のプログラム更新方法は、上述の（１）〜（６）のいずれかに記載のプログラム更新システムに含まれる中継装置が実行するプログラム更新方法に関する。
従って、本実施形態のプログラム更新方法は、上述の（１）〜（６）のいずれかに記載のプログラム更新システムと同様の作用効果を奏する。
【手続補正８】
【補正対象書類名】明細書
【補正対象項目名】００２０
【補正方法】変更
【補正の内容】
【００２０】
（８）  本実施形態のコンピュータプログラムは、上述の（１）〜（６）のいずれかに記載のプログラム更新システムに含まれる中継装置として、コンピュータを機能させるためのコンピュータプログラムに関する。
従って、本実施形態のコンピュータプログラムは、上述の（１）〜（６）のいずれかに記載のプログラム更新システムと同様の作用効果を奏する。